(57)【要約】【課題】送信側または受信側で実行されるコンテンツ情報の書式変換が情報伝達効率を低下させてしまうという課題があった。【解決手段】コンテンツサーバ１０から取得したサーバに依存する書式で書かれたデータ構造を有するコンテンツ情報を細分化し、細分化したデータを通信ネットワーク１を介して交換可能な所定の書式のコンテンツ情報に変換し、ポータルサーバ２０からの要求に応じて、ユーザの通信端末機器での表示形式に応じたデータ構造となるようにコンテンツ情報の書式を変更する整形処理を行いポータルサーバ２０へ送信する変換・整形サーバ３０をコンテンツサーバ１０とポータルサーバ２０の中間に設けた。【選択図】図１
2010218047.tif 000002
【特許請求の範囲】
【請求項１】
通信ネットワークを介してコンテンツ情報をユーザに提供する通信ネットワークシステムにおいて、
情報源としてサーバに依存する書式で書かれたデータ構造を有するコンテンツ情報を蓄積するコンテンツサーバと、
ユーザが通信端末機器を介して送信した要求に従いコンテンツ情報を上記通信端末機器へ送信するポータルサーバと、
上記コンテンツサーバと上記ポータルサーバとの中間に設けられており、上記コンテンツサーバから取得したコンテンツ情報を、当該コンテンツ情報を構成するデータに細分化し、細分化したデータを前記通信ネットワークを介し交換可能な所定の書式のコンテンツ情報に変換し、上記ポータルサーバからの要求に応じて、上記変換後のコンテンツ情報を上記ポータルサーバから要求された通信端末機器の表示形式に応じたデータ構造となるように当該コンテンツ情報の書式を変更する整形処理を行い、要求元の上記ポータルサーバへ整形処理後のコンテンツ情報を送信する変換・整形サーバとを備え、
上記ポータルサーバは、上記通信端末機器を介して上記ユーザから要求されたコンテンツ情報を上記変換・整形サーバへ要求し、この要求に応じて上記変換・整形サーバで整形処理されたコンテンツ情報を、要求元の通信端末機器へ送信することを特徴とする通信ネットワークシステム。
【請求項２】
ポータルサーバは通信端末機器を介したユーザからの情報閲覧要求に従い閲覧すべき情報の送信指示を変換・整形サーバへ送出し、
上記変換・整形サーバは上記ポータルサーバからの情報送信指示を受け、コンテンツサーバに蓄積されたコンテンツ情報を閲覧可能な所定の書式のコンテンツ情報に変換して格納するとともに、上記所定の書式に変換した上記コンテンツ情報を上記通信端末機器での表示に適したものとするために整形処理を行い、上記ポータルサーバにコンテンツ情報を送信することを特徴とする請求項１記載の通信ネットワークシステム。
【請求項３】
ポータルサーバは通信端末機器を介したユーザからの情報検索要求に従い情報検索指示を変換・整形サーバへ送出し、
上記変換・整形サーバは上記ポータルサーバからの情報検索指示を受け、格納された所定の書式のコンテンツ情報を検索し、検索結果を上記通信端末機器での表示に適したものとするために整形処理を行い、上記ポータルサーバへ上記検索結果を送信することを特徴とする請求項２記載の通信ネットワークシステム。
【請求項４】
ポータルサーバは通信端末機器を介したユーザからの所定の処理の実行要求に従い処理実行指示を変換・整形サーバへ送出し、
上記変換・整形サーバは上記ポータルサーバからの処理実行指示を受け、コンテンツサーバに蓄積されたコンテンツ情報を上記処理実行指示に応じたコンテンツ情報に変換するとともに、変換した上記コンテンツ情報を上記通信端末機器での表示に適したものとするために整形処理を行い、上記ポータルサーバにコンテンツ情報を送信することを特徴とする請求項１記載の通信ネットワークシステム。
【請求項５】
ポータルサーバは通信端末機器を介したユーザからの所定の処理の実行要求に従い処理実行指示を変換・整形サーバへ送出し、
上記変換・整形サーバは上記ポータルサーバからの処理実行指示を受け、コンテンツサーバに蓄積されたコンテンツ情報を上記処理実行指示に応じたコンテンツ情報に変換し格納するとともに、変換した上記コンテンツ情報を上記通信端末機器での表示に適したものとするために整形処理を行い、上記処理実行指示に付随する事象情報に従い変換した上記コンテンツ情報を上記通信端末機器へ直接送信することを特徴とする請求項１記載の通信ネットワークシステム。
【請求項６】
変換・整形サーバは、所定の書式に変換したコンテンツ情報の通信端末機器での表示形式を規定するアプリケーションデータを生成する整形処理を実行し、これを上記コンテンツ情報とともに送信することを特徴とする請求項１から請求項５のうちのいずれか１項記載の通信ネットワークシステム。
【請求項７】
変換・整形サーバは、所定の書式に変換したコンテンツ情報を通信端末機器が表示可能なものへ整形する整形処理を実行し、整形済みのコンテンツ情報を送信することを特徴とする請求項１から請求項５のうちのいずれか１項記載の通信ネットワークシステム。
【請求項８】
変換・整形サーバにより実行される整形処理は、所定の書式に変換したコンテンツ情報の通信端末機器での表示形式を規定するアプリケーションを実行することであることを特徴とする請求項７記載の通信ネットワークシステム。
【請求項９】
通信ネットワークはインターネットであることを特徴とする請求項１から請求項８のうちのいずれか１項記載の通信ネットワークシステム。
【請求項１０】
通信ネットワークは無線通信網であることを特徴とする請求項１から請求項８のうちのいずれか１項記載の通信ネットワークシステム。
【請求項１１】
通信ネットワークは有線通信網であることを特徴とする請求項１から請求項８のうちのいずれか１項記載の通信ネットワークシステム。
【請求項１２】
ポータルサーバは、通信端末機器との間で電子メールを用いてコンテンツ情報の送受信を行うことを特徴とする請求項１から請求項１２のうちのいずれか１項記載の通信ネットワークシステム。
【請求項１３】
ポータルサーバは、通信端末機器との間でＷｅｂ処理によりコンテンツ情報の送受信を行うことを特徴とする請求項１から請求項１２のうちのいずれか１項記載の通信ネットワークシステム。
【発明の詳細な説明】
【技術分野】
【０００１】
この発明は、コンテンツ情報の流通路として通信ネットワークを利用し、ユーザがコンテンツ情報を閲覧して確認し、コンテンツ情報に対して応答することを可能にする通信ネットワークシステムに関するものである。
【背景技術】
【０００２】
図６は例えば特許文献１に開示された従来の通信ネットワークシステムの構成を示すブロック図である。図において、１００は情報送信側のコンピュータシステムであり、１０１はアプリケーションを実行しその結果得られた情報を出力するアプリケーション部であり、１０２はコンテンツ情報を含むデータベース等を格納するための記憶装置であり、１０３はアプリケーション部１０１が出力した情報を電子メールとして送信するためにクラスライブラリ１０４を用いて電子メール形式の情報に変換する送信部であり、１０５は電子メール形式の情報をインターネット（Ｉｎｔｅｒｎｅｔ）２００を介して指定された宛先に送信するメールインタフェース部である。また、３００は情報受信側のコンピュータシステムであり、３０５はインターネット２００を介して電子メール形式の情報を受信するメールインタフェース部であり、３０３はメールインタフェース部３０５が受信した電子メール形式の情報を後処理のためにクラスライブラリ３０４を用いて解読して前処理する受信部であり、３０１は受信部３０３により前処理された受信情報を用いてアプリケーションを実行しその結果得られた情報を出力して必要に応じて記憶装置３０２に格納するアプリケーション部である。
【０００３】
次に動作について説明する。
コンピュータシステム１００において、アプリケーション部１０１は所定のアプリケーションを実行し結果得られた情報を送信部１０３へ出力する。所定のアプリケーションは、例えば、記憶装置１０２に格納されているデータベースを検索して要求されたコンテンツ情報を取り出すことができるアプリケーションである。送信部１０３は、アプリケーション部１０１からの情報をメールインタフェース部１０５を介して送信できるようにクラスライブラリ１０４を用いて前処理して電子メール形式の情報に変換する。メールインタフェース部１０５は、電子メール形式の情報をインターネット２００を介してコンピュータシステム３００へ送信する。メールインタフェース部３０５がインターネット２００を介して電子メール形式の情報を受信すると、受信部３０３はその電子メール形式の情報をクラスライブラリ３０４を用いて解読してアプリケーション部３０１が処理できるような情報に変換する。アプリケーション部３０１は、その前処理された受信情報を用いて所定のアプリケーションを実行しその結果得られた情報を出力して必要に応じて記憶装置３０２に格納する。
【０００４】
コンピュータシステム１００はコンテンツ情報を提供するコンテンツサーバとして機能し得る。一方、コンピュータシステム３００はインターネット２００の入り口の役割を果たしているポータルサイトを構築しているポータルサーバとして機能し得る。
【０００５】
ユーザは携帯電話、パーソナルコンピュータ（以下、ＰＣと略す）等の様々な通信端末機器（図示せず）を用いてポータルサーバとして機能するコンピュータシステム３００にインターネット２００を介してアクセスして、インターネット２００に広がるコンテンツ情報から所望の情報を得ることができる。
【０００６】
インターネット２００には複数のポータルサーバが存在しており、ユーザは好みのポータルサーバを選択することが可能である。従って、ポータルサーバは、多くのユーザの利用を獲得するためにコンテンツ情報の充実を計る必要があり、そのために、様々なコンテンツサーバにアクセスしてコンテンツ情報を入手する必要がある。コンテンツサーバとして機能するコンピュータシステム１００は、独自のデータ構造を有するコンテンツ情報を記憶装置１０２に格納しており、ポータルサーバからの要求に応じてコンテンツ情報を送信することができる。ポータルサーバとして機能するコンピュータシステム３００はこのようなコンテンツ情報を直接取得することができるが、コンテンツサーバに依存する書式で書かれた、すなわちコンテンツサーバ毎に異なるデータ構造を有するコンテンツ情報を交換可能な所定の表示形式のコンテンツ情報に変換する必要がある。
【先行技術文献】
【特許文献】
【０００７】
【特許文献１】特開２０００−２０４２４号公報
【発明の概要】
【発明が解決しようとする課題】
【０００８】
従来の通信ネットワークシステムは以上のように構成されているので、コンテンツサーバが送信するコンテンツ情報を所定の書式のものに変換するか、ポータルサーバがコンテンツサーバから送信されたコンテンツ情報に書式変換を施す必要があり、それ故、送信側および受信側のアプリケーションがコンテンツ情報を構成するデータの属性、要素、構造を前もって把握していなければならないという課題があった。すなわち、コンテンツ情報の流通路としてインターネット等の通信ネットワークを利用し、ユーザが同一の方法でいかなるコンテンツ情報も閲覧、検索して確認し、コンテンツ情報に応答することを可能にするには、送受信両方のアプリケーションが送受信するコンテンツ情報のデータ構造を把握していなければならない。
【０００９】
さらに、多くのポータルサーバ、多くのコンテンツサーバ、多種多様な通信端末機器が存在する通信ネットワークシステムでは、ポータルサーバまたはコンテンツサーバにおいて実施される書式変換が情報流通における情報伝達効率を低下させてしまい、通信ネットワークシステムの硬直化を招いてしまうという課題があった。また、ユーザは好みのポータルサーバを選択できるが、ポータルサーバは、多くのユーザの利用を獲得するためにコンテンツ情報を充実させる必要があり、そのために、様々なコンテンツサーバにアクセスしコンテンツ情報を入手することになるが、この結果、書式変換の負荷が増大し情報流通における情報伝達効率をさらに低下させてしまうという課題があった。
【００１０】
この発明は上記のような課題を解決するためになされたもので、コンテンツサーバに依存する書式のコンテンツ情報を通信ネットワークを介して交換可能な所定の書式のものに変換し、変換したコンテンツ情報を多種多様な通信端末機器での表示に適したコンテンツ情報へ整形する機能の分散化を計り情報伝達効率を向上させることができる通信ネットワークシステムを得ることを目的とする。
【課題を解決するための手段】
【００１１】
この発明に係る通信ネットワークシステムは、コンテンツサーバとポータルサーバとの中間に設けられており、コンテンツサーバから取得したサーバに依存する書式で書かれたデータ構造を有するコンテンツ情報を、当該コンテンツ情報を構成するデータに細分化し、細分化したデータを通信ネットワークを介し交換可能な所定の書式のコンテンツ情報に変換し、ポータルサーバからの要求に応じて、変換後のコンテンツ情報をポータルサーバから要求された通信端末機器の表示形式に応じたデータ構造となるように当該コンテンツ情報の書式を変更する整形処理を行い、要求元のポータルサーバへ整形処理後のコンテンツ情報を送信する変換・整形サーバとを備え、ポータルサーバは、通信端末機器を介してユーザから要求されたコンテンツ情報を変換・整形サーバへ要求し、この要求に応じて変換・整形サーバで整形処理されたコンテンツ情報を、要求元の通信端末機器へ送信するものである。
【００１２】
この発明に係る通信ネットワークシステムは、ポータルサーバが通信端末機器を介したユーザからの情報閲覧要求に従い閲覧すべき情報の送信指示を変換・整形サーバへ送出し、変換・整形サーバは上記ポータルサーバからの情報送信指示を受け、コンテンツサーバに蓄積されたコンテンツ情報を閲覧可能な所定の書式のコンテンツ情報に変換して格納するとともに、上記所定の書式に変換した上記コンテンツ情報を上記通信端末機器での表示に適したものとするために整形処理を行い、上記ポータルサーバにコンテンツ情報を送信するものである。
【００１３】
この発明に係る通信ネットワークシステムは、ポータルサーバが通信端末機器を介したユーザからの情報検索要求に従い情報検索指示を変換・整形サーバへ送出し、変換・整形サーバが上記ポータルサーバからの情報検索指示を受け、格納された所定の形式のコンテンツ情報を検索し、検索結果を上記通信端末機器での表示に適したものとするために整形処理を行い、上記ポータルサーバへ上記検索結果を送信するものである。
【００１４】
この発明に係る通信ネットワークシステムは、ポータルサーバが通信端末機器を介したユーザからの所定の処理の実行要求に従い処理実行指示を変換・整形サーバへ送信し、変換・整形サーバが上記ポータルサーバからの処理実行指示を受け、コンテンツサーバに蓄積されたコンテンツ情報を上記処理実行指示に応じたコンテンツ情報に変換するとともに、変換した上記コンテンツ情報を上記通信端末機器での表示に適したものとするために整形処理を行い、上記ポータルサーバにコンテンツ情報を送信するものである。
【００１５】
この発明に係る通信ネットワークシステムは、ポータルサーバが通信端末機器を介したユーザからの所定の処理の実行要求に従い処理実行指示を変換・整形サーバへ送出し、変換・整形サーバが上記ポータルサーバからの処理実行指示を受け、コンテンツサーバに蓄積されたコンテンツ情報を上記処理実行指示に応じたコンテンツ情報に変換し格納するとともに、変換した上記コンテンツ情報を上記通信端末機器での表示に適したものとするために整形処理を行い、上記処理実行指示に付随する事象情報に従い変換した上記コンテンツ情報を上記通信端末機器へ直接送信するものである。
【００１６】
この発明に係る通信ネットワークシステムは、変換・整形サーバが、所定の書式に変換したコンテンツ情報の通信端末機器での表示形式を規定するアプリケーションデータを生成する整形処理を実行し、これを上記コンテンツ情報とともに送信するものである。
【００１７】
この発明に係る通信ネットワークシステムは、変換・整形サーバが、所定の書式に変換したコンテンツ情報を通信端末機器が表示可能なものへ整形する整形処理を実行し、整形済みのコンテンツ情報を送信するものである。
【００１８】
この発明に係る通信ネットワークシステムは、整形処理が、所定の書式に変換したコンテンツ情報の通信端末機器での表示形式を規定するアプリケーションを実行することであるものである。
【００１９】
この発明に係る通信ネットワークシステムは、通信ネットワークがインターネットであるものである。
【００２０】
この発明に係る通信ネットワークシステムは、通信ネットワークが無線通信網であるものである。
【００２１】
この発明に係る通信ネットワークシステムは、通信ネットワークが有線通信網であるものである。
【００２２】
この発明に係る通信ネットワークシステムは、ポータルサーバが、通信端末機器との間で電子メールを用いてコンテンツ情報の送受信を行うものでる。
【００２３】
この発明に係る通信ネットワークシステムは、ポータルサーバが、通信端末機器との間でＷｅｂ処理によりコンテンツ情報の送受信を行うものである。
【発明の効果】
【００２４】
以上のように、この発明によれば、コンテンツサーバとポータルサーバとの中間に設けられており、コンテンツサーバから取得したサーバに依存する書式で書かれたデータ構造を有するコンテンツ情報を、当該コンテンツ情報を構成するデータに細分化し、細分化したデータを通信ネットワークを介し交換可能な所定の書式のコンテンツ情報に変換し、ポータルサーバからの要求に応じて、変換後のコンテンツ情報をポータルサーバから要求された通信端末機器の表示形式に応じたデータ構造となるように当該コンテンツ情報の書式を変更する整形処理を行い、要求元のポータルサーバへ整形処理後のコンテンツ情報を送信する変換・整形サーバとを備え、ポータルサーバは、通信端末機器を介してユーザから要求されたコンテンツ情報を変換・整形サーバへ要求し、この要求に応じて変換・整形サーバで整形処理されたコンテンツ情報を、要求元の通信端末機器へ送信するように構成したので、通信ネットワークシステムにおいて機能分散を計ることができ情報伝達効率を向上することができる効果がある。また、変換・整形サーバは、ユーザの持つ通信端末機器で表示可能なように所定の書式のコンテンツ情報に整形処理を施すので、ポータルサーバに負担をかけることなく、多種多様な通信端末機器におけるコンテンツ情報の表示形式に対応することが可能となる効果がある。さらに、多くの既存のコンテンツ情報を通信ネットワークを介して交換可能なコンテンツ情報として多くのポータルサーバへ提供することが可能となるので、ユーザは多くのポータルサーバを介して様々な既存のコンテンツ情報へアクセスでき、通信ネットワークシステムでの通信ネットワークの運用効率を向上することができる効果がある。
【００２５】
この発明によれば、ポータルサーバが通信端末機器を介したユーザからの所定の処理の実行要求に従い処理実行指示を変換・整形サーバへ送出し、変換・整形サーバがポータルサーバからの処理実行指示を受け、コンテンツサーバに蓄積されたコンテンツ情報を処理実行指示に応じたコンテンツ情報に変換し格納するとともに、変換したコンテンツ情報を通信端末機器での表示に適したものとするために整形処理を行い、処理実行指示に付随する事象情報に従い変換したコンテンツ情報を通信端末機器へ直接送信するように構成されているので、ポータルサーバに負担をかけることなくコンテンツ情報を事象情報に従い必要な時にユーザへ直接配信できる効果がある。
【図面の簡単な説明】
【００２６】
【図１】この発明の実施の形態１による通信ネットワークシステムの構成を示すブロック図である。
【図２】この発明の実施の形態２による通信ネットワークシステムの動作を示すフローチャート図である。
【図３】この発明の実施の形態３による通信ネットワークシステムの動作を示すフローチャート図である。
【図４】この発明の実施の形態４による通信ネットワークシステムの動作を示すフローチャート図である。
【図５】この発明の実施の形態５による通信ネットワークシステムの動作を示すフローチャート図である。
【図６】従来の通信ネットワークシステムの一例の構成を示すブロック図である。
【発明を実施するための形態】
【００２７】
以下、この発明の実施の一形態を説明する。
実施の形態１．
図１はこの発明の実施の形態１による通信ネットワークシステムの構成を示すブロック図である。図において、１０は外部からの要求に応じて記憶装置１１からコンテンツ情報を読み出し外部へ提供するコンテンツサーバであり、２０はインターネット（Ｉｎｔｅｒｎｅｔ）等の通信ネットワーク１に広がるコンテンツ情報を統合しユーザ毎に最適化したコンテンツ情報を送信するポータルサイトを構築するポータルサーバであり、３０はポータルサーバ２０からの要求に応じてコンテンツサーバ１０からコンテンツ情報を読み出し、通信ネットワーク１を介して交換可能（すなわち流通可能）な所定の書式（すなわちデータ構造）のコンテンツ情報（以下、交換可能コンテンツ情報と称する）に変換して記憶装置３１に格納するとともに、さらに記憶装置３１に格納した交換可能コンテンツ情報をユーザの通信端末機器での表示に適した所定の表示形式のコンテンツ情報に整形して要求元のポータルサーバ２０へ送出する変換・整形サーバである。
【００２８】
なお、コンテンツサーバ１０、変換・整形サーバ３０およびポータルサーバ２０は、それぞれ通信ネットワーク１を構成するＰＣ等の情報処理装置である。なお、この発明による通信ネットワークシステムに含まれるコンテンツサーバ１０、変換・整形サーバ３０、ポータルサーバ２０はそれぞれ一台に限定されるものではない。この発明による通信ネットワークシステムは、複数のコンテンツサーバ、複数の変換・整形サーバ、複数のポータルサーバを含み得る。
【００２９】
また、４０は通信ネットワーク１を介してポータルサーバ２０等と通信可能な通信端末機器として設けられた携帯電話であり、５０は通信ネットワーク１を介してポータルサーバ２０等と通信可能な通信端末機器として設けられたカーナビゲーションシステムであり、５１はカーナビゲーションシステム５０に接続されカーナビゲーションに関する各種情報を表示するための表示装置であり、６０は通信ネットワーク１を介してポータルサーバ２０等と通信可能な通信端末機器として設けられたＰＣであり、６１はＰＣ６０が情報を格納するための携帯可能な小型メモリ等の小型記憶装置である。なお、通信端末機器は上記のものに限定されるものではなく、通信ネットワーク１に接続され通信ネットワーク１を介してポータルサーバ２０等と通信可能なものであればどのようなものあってもかまわない。
【００３０】
次に動作について説明する。
ユーザは携帯電話４０、カーナビゲーションシステム５０、ＰＣ６０等の様々な通信端末機器を用いてポータルサーバ２０にアクセスして、通信ネットワーク１に広がるコンテンツ情報から所望の情報を得ることができる。
【００３１】
上記したように、通信ネットワーク１には複数のポータルサーバが存在可能であり、ユーザは好みのポータルサーバを選択することが可能である。従って、ポータルサーバ２０は、多くのユーザの利用を獲得するためにコンテンツ情報の充実を計る必要があり、そのために、様々なコンテンツサーバにアクセスしてコンテンツ情報を入手する必要がある。コンテンツサーバ１０は、独自のデータ構造を有するコンテンツ情報を記憶装置１１に格納し、外部からの要求に応じてコンテンツ情報を外部へ提供する。従って、このようなコンテンツ情報を直接取得しても、ポータルサーバ２０はコンテンツサーバ毎に異なるデータ構造を有するコンテンツ情報を交換可能な所定の書式のコンテンツ情報に変換しなければならない。従来、ポータルサーバ２０またはコンテンツサーバ１０において実施されるこのような書式変換は情報流通における情報伝達効率を低下させてしまい、ひいては通信ネットワークシステムの硬直化を招いてしまっていた。
【００３２】
そこで、この発明の実施の形態１による通信ネットワークシステムでは、変換・整形サーバ３０がコンテンツサーバ１０から得たコンテンツ情報を標準化された交換可能な所定の書式のコンテンツ情報に変換して記憶装置３１に格納するとともに、さらに記憶装置３１に格納した交換可能コンテンツ情報をユーザの通信端末機器での表示に適した所定の表示形式のコンテンツ情報に整形して要求元のポータルサーバ２０へ送出する。
【００３３】
ポータルサーバ２０は、ポータルサイトの業務内容等に応じた目的に沿って、通信ネットワーク１に広がるコンテンツ情報を集めてユーザ毎に最適化したコンテンツ情報をユーザに提供することができる。ユーザからの要求に応じてポータルサーバ２０があるコンテンツ情報の送信要求指示を変換・整形サーバ３０に送信すると、変換・整形サーバ３０は上記のようにしてコンテンツサーバ１０からコンテンツ情報を読み出して交換可能な所定の書式のコンテンツ情報に変換した後、ユーザの通信端末機器での表示に適した所定の表示形式のコンテンツ情報に整形して要求元のポータルサーバ２０へ送出する。そして、ポータルサーバ２０は受信したコンテンツ情報を変換処理することなくユーザの通信端末機器へ送信する。なお、ポータルサーバ２０と通信端末機器との間の情報の送受信は電子メールを用いて行われる。また、これに代わって、ポータルサーバ２０はＷｅｂサーバも兼ねてＷｅｂサイトを構築しており、Ｗｅｂ処理によりユーザの通信端末機器との間で情報の送受信を実施し、一方、ユーザは通信端末機器上で動作するＷｅｂブラウザを用いてポータルサーバ２０との間で情報の送受信を実施するようにしてもよい。
【００３４】
整形済みのコンテンツ情報をポータルサーバ２０へ送信する代わりに、変換・整形サーバ３０は、ユーザの通信端末機器の独自の表示形式に応じてポータルサーバ２０へ送信するコンテンツ情報にアプリケーションデータを追加するようにしてもよい。この場合、ポータルサーバ２０は変換・整形サーバ３０から送信されたアプリケーションデータが付されたコンテンツ情報をそのアプリケーションデータに基づいて整形した後ユーザの通信端末機器へ送信する。これにより、整形したコンテンツ情報を受信した通信端末機器は受信した整形済みのコンテンツ情報を表示装置へ表示することができる。また、これに代わって、ポータルサーバ２０は変換・整形サーバ３０から送信されたアプリケーションデータが付されたコンテンツ情報を単にユーザの通信端末機器へ送信するようにしてもよい。この場合、通信端末機器はそのアプリケーションデータに従い受信したコンテンツ情報を整形して表示装置へ表示することができる。
【００３５】
このように、コンテンツ情報を交換可能な所定の書式のコンテンツ情報に変換して通信端末機器で表示可能なように整形処理を実行する変換・整形機能をコンテンツサーバ１０とポータルサーバ２０の中間に設けられた変換・整形サーバ３０に備えることにより、ポータルサーバ２０はユーザが所望するコンテンツ情報へユーザを誘導する機能に専念することが可能となり、通信ネットワークシステムの機能を分散してポータルサーバ２０のコンテンツ情報を交換可能な所定の書式のコンテンツ情報に変換する負荷を軽減することができる。
【００３６】
なお、通信ネットワーク１はインターネットに限定されるものではなく、無線通信網や有線通信網であってもよい。また、通信ネットワーク１は特定の組織内に設けられたローカルネットワークのようなネットワークであってもよい。
【００３７】
以上のように、この発明の実施の形態１によれば、通信ネットワークシステムは、ユーザがインターネットに代表される通信ネットワーク１を介してコンテンツ情報を入手する際携帯電話４０等の通信端末機器を用いてコンテンツサーバ１０に直接アクセスせずにポータルサーバ２０にアクセスし、ポータルサーバ２０もユーザからの情報入手等の要求に応じてコンテンツサーバ１０にアクセスするのではなく、ポータルサーバ２０とコンテンツサーバ１０の中間に位置しており、コンテンツサーバ１０から読み出したコンテンツ情報を通信ネットワーク１を介して交換可能なコンテンツ情報に変換する変換・整形サーバ３０にアクセスするように構成されているので、通信ネットワークシステムにおいて機能分散を計ることができ情報伝達効率を向上することができる効果がある。
【００３８】
また、変換・整形サーバ３０は、ユーザの持つ通信端末機器で表示可能なように記憶装置３１に記憶した交換可能コンテンツ情報に整形処理を施すので、ポータルサーバ２０に負担をかけることなく、多種多様な通信端末機器におけるコンテンツ情報の表示形式に対応することが可能となる効果がある。
【００３９】
さらに、この実施の形態１によれば、多くの既存のコンテンツ情報を通信ネットワーク１を介して交換可能なコンテンツ情報として多くのポータルサーバへ提供することが可能となるので、ユーザは多くのポータルサーバを介して様々な既存のコンテンツ情報へアクセスでき、通信ネットワークシステムでの通信ネットワーク１の運用効率を向上することができる。
【００４０】
実施の形態２．
図２はこの発明の実施の形態２による通信ネットワークシステムの動作を示すフローチャート図である。この発明の実施の形態２による通信ネットワークシステムは、図１に示す上記実施の形態１による通信ネットワークシステムと同様な構成を有しており、以下では上記実施の形態１と重複する説明は省略する。
【００４１】
この発明の実施の形態２による通信ネットワークシステムの変換・整形サーバ３０は、通信端末機器を介してなされたユーザからの情報閲覧要求に応じてポータルサーバ２０によってなされた情報閲覧指示に従い、コンテンツ情報の変換・整形処理を実行するものである。
【００４２】
次に動作について説明する。
携帯電話４０等の通信端末機器を介してなされたユーザからの情報閲覧要求（ステップＳＴ２０１）に応じて、ポータルサーバ２０は変換・整形サーバ３０に情報閲覧指示を送出する（ステップＳＴ２０２）。このとき、ポータルサーバ２０は付加価値情報を変換・整形サーバ３０へ送信することができる。付加価値情報とは、ポータルサイトでコンテンツ情報を提供する際にユーザをポータルサイトの意図する情報へ誘導したりするために使用される恣意的な情報であり、商業的な宣伝などのある目的をもって作成されたものである。例えば、「今週のトピックス」、「特別セール」、「特集」等に関する情報とか、ある検索キーワードがユーザにより入力された場合にさらに特定の意味のものに絞り込むために予め定めた上位１０個のキーワード等が付加価値情報として用いられる。なお、ポータルサーバ２０は必ずしも付加価値情報を変換・整形サーバ３０へ送信する必要はなく、ユーザがポータルサイトにおいてどのような情報の閲覧を要求したかにも依存する。
【００４３】
変換・整形サーバ３０は、ポータルサーバ２０からの情報閲覧指示に従いポータルサーバ２０から送信された付加価値情報に基づきコンテンツサーバ１０へコンテンツ情報の送信要求を送出する（ステップＳＴ２０３）。変換・整形サーバ３０からの送信要求に応じて、コンテンツサーバ１０は要求されたコンテンツ情報を変換・整形サーバ３０へ送信する（ステップＳＴ２０４）。変換・整形サーバ３０はこのようにして読み出したコンテンツ情報を必要に応じて付加価値情報とともに通信ネットワーク１を介して交換可能な所定の書式のコンテンツ情報に変換し（ステップＳＴ２０５）、その交換可能コンテンツ情報を記憶装置３１に格納する（ステップＳＴ２０６）。
【００４４】
既に述べたように、ステップＳＴ２０４においてコンテンツサーバ１０から送信されたコンテンツ情報は、一般に、コンテンツサーバ１０に依存する書式で書かれており、その書式は他のコンテンツサーバから送信されるコンテンツ情報の書式とは異なる。従って、読み出されたコンテンツ情報はそのままポータルサーバ２０が提供する閲覧情報として用いることはできない。ポータルサーバとコンテンツサーバとが直結された従来の通信ネットワークシステムでは、コンテンツサーバが送信するコンテンツ情報をポータルサーバの閲覧情報に応じた書式のものに変換するか、ポータルサーバがコンテンツサーバから読み出したコンテンツ情報を閲覧情報に応じて書式変換を施す必要があるが、多くのポータルサーバ、多くのコンテンツサーバ、多種多様な通信端末機器が存在する通信ネットワークシステムでは、ポータルサーバまたはコンテンツサーバで実施される書式変換は情報流通における情報伝達効率を低下させてしまい、ひいては通信ネットワークシステムの硬直化を招いてしまっていた。
【００４５】
これに対して、上記したように、この実施の形態２による変換・整形サーバ３０は、コンテンツサーバ１０から読み出したコンテンツ情報を、必要に応じてポータルサーバ２０から送信された付加価値情報とともに、通信ネットワーク１を介して交換可能な所定の書式のコンテンツ情報に変換する。
【００４６】
通信ネットワークシステムは多種多様な通信端末機器が提供する情報の表示形式に対応しなければならず、ユーザの持つ通信端末機器での表示に適するようにコンテンツ情報を整形する必要がある。
【００４７】
変換・整形サーバ３０は、ユーザの通信端末機器での表示に適した所定の表示形式のコンテンツ情報をポータルサーバ２０へ送信するために、格納した交換可能コンテンツ情報を整形して整形したコンテンツ情報をポータルサーバ２０へ送信する（ステップＳＴ２０７）。ポータルサーバ２０は受信した整形済みのコンテンツ情報を閲覧可能な情報すなわち閲覧情報としてユーザの通信端末機器へ提供する（ステップＳＴ２０８）。その結果、ユーザは通信端末機器を介して所望のコンテンツ情報を閲覧することができる（ステップＳＴ２０９）。
【００４８】
変換・整形サーバ３０は、ポータルサーバ２０からの指示に従い交換可能コンテンツ情報から得た情報に基づき交換可能コンテンツ情報を整形する。このために、変換・整形サーバ３０は、元のコンテンツ情報が本来有しているデータ属性、データ要素を欠落させることなく、ポータルサーバ２０から送信された恣意的な情報である付加価値情報を必要に応じてコンテンツ情報に付加し、次の整形処理のためにコンテンツ情報を細分化し再利用可能で通信ネットワーク１を介して交換可能な所定の書式のコンテンツ情報に変換する。
【００４９】
例えば、変換・整形サーバ３０は、「東京都千代田区丸の内２−２−３三菱電機ビル１階」という住所要素に関するコンテンツ情報を、「日本国」「東京（都）」「千代田（区）」「丸の内」「２」「２」「３」「三菱電機ビル」「１階」のように細分化し、細分化した複数のデータの要素・属性・意味をそれぞれ「国」「広域自治相当単位（都、道、府、県）」「狭域自治相当単位（市区町村）」「大地域単位（区、町、大字）」「中地域単位（字、丁目）」「小地域単位（番地）」「個別単位（号）」「ビル名称」「階上」として扱う。
【００５０】
このように変換することにより、例えば、「東京都千代田区丸の内２−２−３三菱電機ビル１０階」という住所要素は、上記の「東京都千代田区丸の内２−２−３三菱電機ビル１階」とは「階上」のみ異なる要素であると判断することが可能になるので、「東京都千代田区丸の内２−２−３三菱電機ビル１階」で細分化した階上以外のデータを利用して構築でき再利用性を高めることができる。
【００５１】
このように変換された交換可能コンテンツ情報の細分化された各データは意味のある内容を有しているので、交換可能コンテンツ情報を整形してユーザの通信端末機器の独自の表示形式に応じたデータ構造を有するコンテンツ情報を容易に生成することができる。
【００５２】
変換・整形サーバ３０は、記憶装置３１に格納した交換可能コンテンツ情報をユーザの通信端末機器の所定の表示形式に応じた内容のものに整形した後、整形済みのコンテンツ情報をポータルサーバ２０へ送信する。より具体的には、変換・整形サーバ３０は、ポータルサーバ２０からの指示に従い、通信端末機器の所定の表示形式に応じて記憶装置３１に格納した交換可能コンテンツ情報からアプリケーションデータを生成し、アプリケーションデータに基づき交換可能コンテンツ情報を通信端末機器が表示できる形式のものへと整形するアプリケーションを実行する。すなわち、変換・整形サーバ３０は、記憶装置３１に格納した交換可能コンテンツ情報の通信端末機器での表示形式を規定するアプリケーションを実行する。
【００５３】
例えば、上記の住所要素の例「東京都千代田区丸の内２−２−３三菱電機ビル１階」の場合、変換・整形サーバ３０は、ポータルサーバ２０からの指示に従い、記憶装置３１に格納した変換された交換可能コンテンツ情報を構成するデータ「日本国」「東京（都）」「千代田（区）」「丸の内」「２」「２」「３」「三菱電機ビル」「１階」のうち「小地域単位（番地）」「個別単位（号）」「ビル名称」「階上」は表示しない旨を示すアプリケーションデータを生成し、このアプリケーションデータに基づき「日本国」「東京（都）」「千代田（区）」「丸の内」「２」のデータのみから成るコンテンツ情報を生成するアプリケーションを実行しこの整形済みのコンテンツ情報をポータルサーバ２０へ送信する。
【００５４】
整形済みのコンテンツ情報をポータルサーバ２０へ送信する代わりに、変換・整形サーバ３０は、ユーザの通信端末機器の所定の表示形式に応じてポータルサーバ２０へ送信するコンテンツ情報にアプリケーションデータを追加してもよい。この場合、ポータルサーバ２０は変換・整形サーバ３０から送信されたアプリケーションデータが付されたコンテンツ情報をそのアプリケーションデータに基づいて整形するアプリケーションを実行した後ユーザの通信端末機器へ送信する。整形したコンテンツ情報を受信した通信端末機器はその整形済みのコンテンツ情報を表示装置へ表示することができる。また、これに代わって、ポータルサーバ２０は変換・整形サーバ３０から送信されたアプリケーションデータが付されたコンテンツ情報をユーザの通信端末機器へ送信してもよい。この場合、通信端末機器はそのアプリケーションデータに従い受信したコンテンツ情報を整形して表示装置へ表示することができる。
【００５５】
例えば、上記の住所要素の例「東京都千代田区丸の内２−２−３三菱電機ビル１階」で、「小地域単位（番地）」以下の部分「２−３三菱電機ビル１階」についてはプライバシー情報に属しているとみなし表示させない通信端末機器からの上記住所表示の情報閲覧要求がある場合、変換・整形サーバ３０は、交換可能コンテンツ情報として、「日本国」「東京（都）」「千代田（区）」「丸の内」「２」「２」「３」「三菱電機ビル」「１階」から成るコンテンツデータをポータルサーバ２０に送信するとともに、「小地域単位（番地）」「個別単位（号）」「ビル名称」「階上」は表示しない旨を指示するアプリケーションデータもポータルサーバ２０へ送信する。この結果、ユーザの通信端末機器は、上記住所表示を「東京都千代田区丸の内２」と表示することができる。
【００５６】
以上のように、この発明の実施の形態２によれば、通信ネットワークシステムは、ユーザが通信ネットワーク１を介して情報閲覧を行う際に携帯電話４０等の通信端末機器を用いてコンテンツサーバ１０に直接アクセスせずにポータルサーバ２０にアクセスし、ポータルサーバ２０もユーザからの情報閲覧要求に応じてコンテンツサーバ１０にアクセスするのではなく、ポータルサーバ２０とコンテンツサーバ１０の中間に位置しており、コンテンツサーバ１０から読み出したコンテンツ情報を交換可能コンテンツ情報に変換して通信端末機器で表示可能なように整形処理を施す変換・整形サーバ３０にアクセスするように構成されているので、通信ネットワークシステムにおいて機能分散を計ることができ情報伝達効率を向上することができる効果がある。
【００５７】
変換・整形サーバ３０は、元のコンテンツ情報が本来有しているデータ属性、データ要素を欠落させることなく、必要に応じてポータルサーバ２０から送信された恣意的な情報である付加価値情報を付加して、コンテンツ情報を細分化して通信ネットワーク１を介して交換可能な所定の書式のコンテンツ情報に変換するので、そのコンテンツ情報を意味のある再利用可能な情報として整形処理に提供することができる効果がある。
【００５８】
また、変換・整形サーバ３０は、ユーザの情報閲覧の際にユーザの持つ通信端末機器で表示可能なように交換可能コンテンツ情報に整形処理を施すので、ポータルサーバ２０に負担をかけることなく、多種多様な通信端末機器におけるコンテンツ情報の表示形式に対応することが可能となる効果がある。
【００５９】
実施の形態３．
図３はこの発明の実施の形態３による通信ネットワークシステムの動作を示すフローチャート図である。この発明の実施の形態３による通信ネットワークシステムは、図１に示す上記実施の形態１による通信ネットワークシステムと同様な構成を有しており、以下では上記実施の形態１と重複する説明を省略する。
【００６０】
この発明の実施の形態３による通信ネットワークシステムの変換・整形サーバ３０は、通信端末機器を介してなされたユーザからの情報検索要求に応じてポータルサーバ２０によってなされた情報検索指示に従い、情報検索のためにコンテンツ情報の変換・整形処理を実行するものである。
【００６１】
次に動作について説明する。
例えば、ユーザが通信端末機器を用いてポータルサーバ２０から送信された閲覧情報を確認し（ステップＳＴ３０１）、さらに所望の情報を得るために検索キーワードを指定して閲覧情報を検索する旨の情報検索要求を通信端末機器を介してポータルサーバ２０へ通知すると（ステップＳＴ３０２）、その情報検索要求を受けたポータルサーバ２０は変換・整形サーバ３０へ情報検索を指示する（ステップＳＴ３０３）。情報検索指示を受けた変換・整形サーバ３０は、上記検索キーワードを用いて記憶装置３１に格納されている交換可能コンテンツ情報を検索する（ステップＳＴ３０４）。なお、交換可能コンテンツ情報は、図２に示した上記実施の形態２による方法に従って変換・整形サーバ３０により生成されたものである。変換・整形サーバ３０は、さらに、検索結果に整形処理を施しポータルサーバ２０に検索結果を送信する（ステップＳＴ３０５）。ポータルサーバ２０は変換・整形サーバ３０から送信された検索結果をユーザの通信端末機器へ送信する（ステップＳＴ３０６）。通信端末機器は受信した検索結果を表示装置に表示するなどし、ユーザは通信端末機器を介して検索結果を確認することができる（ステップＳＴ３０７）。
【００６２】
情報検索では検索キーワードが必要となる。この実施の形態３による通信ネットワークシステムでは、変換・整形サーバ３０が、ポータルサーバ２０からの情報検索指示ととも送信される検索キーワードに記憶装置３１に格納されている交換可能コンテンツ情報の細分化された意味のあるデータ属性や、ポータルサーバ２０から送信される付加価値情報等を付加させることができる。一般に、情報検索は検索キーワードのテキスト内容に基づいて実施されるが、テキスト内容は検索キーワードの意味・属性・要素がどういうものであるかを明示するものではなく検索結果がユーザの望むものとは異なる場合がある。例えば、「丸の内」を検索キーワードに情報検索を実行した場合、従来の通信ネットワークシステムのポータルサーバは、地下鉄の「丸の内」線や「丸の内」を企業名に持つ企業や住所における「丸の内」を検索し、「丸の内」を含む多くのデータを検索結果として提供する。
【００６３】
これに対して、この実施の形態３による変換・整形サーバ３０は、検索キーワードとともに、対応するデータ属性、上記実施の形態２において説明したような、ポータルサイトの恣意的な情報等の付加価値情報等を用いて記憶装置３１に格納された交換可能コンテンツ情報を検索するので、コンテンツサーバ１０に格納されている元のコンテンツ情報が本来有しているデータ属性、データ要素を欠落させることなくより正確な情報検索を行うことが可能となる。
【００６４】
例えば、「丸の内」を検索キーワードに情報検索を実行した場合、その検索キーワードに「日本国」「東京（都）」「千代田（区）」のデータ属性を追加することにより、「東京都千代田区の丸の内」が検索結果として得られる。これに代わって、検索キーワード「丸の内」に付加価値情報として例えば「三菱電機」を追加することにより、「東京都千代田区丸の内２−２−３三菱電機ビル」が検索結果として得られる。
【００６５】
また、変換・整形サーバ３０は、データ属性、付加価値情報等を検索キーワードとともに用いる代わりに、検索キーワードのみを用いて記憶装置３１に格納されている交換可能コンテンツ情報を検索し、検索結果に例えば「日本国」「東京（都）」「千代田（区）」のようなデータ属性を追加して検索結果のデータ属性を明示しつつコンテンツ情報を提示することができる（上記例の場合には住所であることを明示することができる）。
【００６６】
ユーザが通信端末機器を介して検索キーワードを入力した際に、ポータルサーバ２０が検索キーワードの意味・属性・要素をユーザに問い合わせることができるように構成してもよい。この場合、ポータルサーバ２０は、検索キーワードと関連するデータ属性等を示す絞り込み情報をユーザに提示してユーザにいずれか一つの絞り込み情報を選択せしめ、検索キーワードとともに選択された絞り込み情報を変換・整形サーバ３０へ送信する。変換・整形サーバ３０は、検索キーワードとともに送信されてきた絞り込み情報を用いて記憶装置３１に格納された交換可能コンテンツ情報を検索する。この結果、上記の場合と同様に、コンテンツサーバ１０に格納されている元のコンテンツ情報が本来有しているデータ属性、データ要素を欠落させることなくより正確な情報検索を行うことが可能となる。
【００６７】
なお、この実施の形態３による変換・整形サーバ３０は上記実施の形態２によるものと同様に整形処理を実行するので、以下ではその説明を省略する。
【００６８】
以上のように、この発明の実施の形態３によれば、通信ネットワークシステムは、ユーザがインターネットに代表される通信ネットワーク１を介して情報検索を行う際に携帯電話４０等の通信端末機器を用いてコンテンツサーバ１０に直接アクセスせずにポータルサーバ２０にアクセスし、ポータルサーバ２０もユーザからの情報検索要求に応じてコンテンツサーバ１０にアクセスするのではなく、ポータルサーバ２０とコンテンツサーバ１０の中間に位置しており、コンテンツサーバ１０から読み出したコンテンツ情報を交換可能コンテンツ情報に変換して整形処理を施す変換・整形サーバ３０にアクセスするように構成されているので、通信ネットワークシステムにおいて機能分散を計ることができ情報伝達効率を向上することができる効果がある。
【００６９】
また、変換・整形サーバ３０は、ユーザの情報検索の際にユーザの持つ通信端末機器で表示可能なように交換可能コンテンツ情報に整形処理を施すので、ポータルサーバ２０に負担をかけることなく、多種多様な通信端末機器におけるコンテンツ情報の表示形式に対応することが可能となる効果がある。
【００７０】
実施の形態４．
図４はこの発明の実施の形態４による通信ネットワークシステムの動作を示すフローチャート図である。この発明の実施の形態４による通信ネットワークシステムは、図１に示す上記実施の形態１による通信ネットワークシステムと同様な構成を有しており、以下では上記実施の形態１と重複する説明を省略する。
【００７１】
この発明の実施の形態４による通信ネットワークシステムの変換・整形サーバ３０は、通信端末機器を介してなされたユーザからの予約、注文、場所の確認等の所定の処理の実行要求に応じてポータルサーバ２０によってなされた処理実行指示に従い、コンテンツサーバ１０からコンテンツ情報を入手しコンテンツ情報に変換・整形処理を施すものである。なお、この実施の形態４による変換・整形サーバ３０は上記実施の形態２によるものと同様に整形処理を実行することができる。
【００７２】
次に動作について説明する。
ユーザは、上記実施の形態３に示した方法に従って実行された情報検索等を通して情報を確認すると（ステップＳＴ４０１）、通信端末機器を介してポータルサーバ２０に予約、注文、場所の確認等の所定の処理の実行要求を行うことができる（ステップＳＴ４０２）。ポータルサーバ２０は、通信端末機器からの処理実行要求に基づき変換・整形サーバ３０に対して処理実行指示を送出する（ステップＳＴ４０３）。処理実行指示を受けた変換・整形サーバ３０は、対応するコンテンツ情報の送信要求をコンテンツサーバ１０へ送出し（ステップＳＴ４０４）、送信要求を受け取ったコンテンツサーバ１０は要求されたコンテンツ情報を変換・整形サーバ３０へ送信する（ステップＳＴ４０５）。変換・整形サーバ３０はこのようにして読み出したコンテンツ情報を通信ネットワーク１を介して交換可能な所定の書式のコンテンツ情報に変換し（ステップＳＴ４０６）、さらにそのコンテンツ情報に整形処理を施して整形したコンテンツ情報を処理実行結果としてポータルサーバ２０へ送信する（ステップＳＴ４０７）。変換・整形サーバ３０から送信された処理実行結果を受信したポータルサーバ２０はさらにその情報を通信端末機器へ送信し（ステップＳＴ４０８）、通信端末機器は受信した処理実行結果を表示装置に表示する等するとともに、記憶装置等に格納することができる（ステップＳＴ４０９）。この結果、ユーザは処理実行結果を確認することができる。
【００７３】
上記実施の形態２と同様に、整形済みのコンテンツ情報をポータルサーバ２０へ送信する代わりに、変換・整形サーバ３０は、ユーザの通信端末機器の所定の表示形式に応じてポータルサーバ２０へ送信するコンテンツ情報にアプリケーションデータを追加してもよい。この場合、ポータルサーバ２０は変換・整形サーバ３０から送信されたアプリケーションデータが付されたコンテンツ情報をそのアプリケーションデータに基づいて整形した後ユーザの通信端末機器へ送信する。整形したコンテンツ情報を受信した通信端末機器はその整形済みのコンテンツ情報を表示装置へ表示することができる。また、これに代わって、ポータルサーバ２０は変換・整形サーバ３０から送信されたアプリケーションデータが付されたコンテンツ情報をユーザの通信端末機器へ送信してもよい。この場合、通信端末機器はそのアプリケーションデータに従い受信したコンテンツ情報を整形して表示装置へ表示することができる。
【００７４】
例えば、ユーザが通信端末機器を介して場所の確認を行う場合、ポータルサーバ２０は、最終的にユーザからの場所確認要求に応じた地図データを提示するが、住所データを得ただけでは地図データを入手することはできない。この実施の形態４による変換・整形サーバ３０は、ポータルサーバ２０からユーザの場所確認要求に基づく地図データ送信指示を受け取ると、入手した住所データを緯度経度データに変換し、この緯度経度を含む地図のデータ送信要求をコンテンツサーバ１０へ送出する。そして、変換・整形サーバ３０は、コンテンツサーバ１０から得た地図データをユーザの通信端末機器が表示可能な描画データに変換、整形し、ポータルサーバ２０へ送信する。
【００７５】
このために、変換・整形サーバ３０は、住所データを「国」「広域自治相当単位（都、道、府、県）」「狭域自治相当単位（市区町村）」「大地域単位（区、町、大字）」「中地域単位（字、丁目）」「小地域単位（番地）」「個別単位（号）」「ビル名称」「階上」に細分化した複数の要素として記憶装置３１に格納しており、さらに、各要素の代表的な地点の緯度経度データも格納している。これにより、変換・整形サーバ３０はポータルサーバ２０から送信された住所データを緯度経度データに容易に変換することができる。
【００７６】
例えば、変換・整形サーバ３０は、「国」に属する要素の場合、日本については国会議事堂の緯度経度データを格納している。また、「広域自治相当単位（都、道、府、県）」に属する要素の場合、各都道府県については県庁所在地の緯度経度データを格納している。この場合、上記のように細分化した複数の要素の実際の緯度経度の範囲には、「国」＞「広域自治相当単位（都、道、府、県）」＞「狭域自治相当単位（市区町村）」＞「大地域単位（区、町、大字）」＞「中地域単位（字、丁目）」＞「小地域単位（番地）」＞「個別単位（号）」＞「ビル名称」という関係が成り立つので、上記のように決定された緯度経度データもツリー構造を有している。このようなツリー構造の住所要素データおよび緯度経度データは簡単に構築され得る。また、このようにツリー状に細分化された住所要素データに基づいて生成される住所表示にはそれら住所要素データに重複がないので重複した部分が発生することがないという利点もある。なお、「階上」として高さ方向のデータを定義することにより、３次元の地図データを表現することも可能である。
【００７７】
以上のように、この発明の実施の形態４によれば、通信ネットワークシステムは、ユーザがインターネットに代表される通信ネットワーク１を介して予約、注文、場所の確認等の所定の処理を行う際に携帯電話４０等の通信端末機器を用いてコンテンツサーバ１０に直接アクセスせずにポータルサーバ２０にアクセスし、ポータルサーバ２０もユーザからの処理実行要求に応じてコンテンツサーバ１０にアクセスするのではなく、ポータルサーバ２０とコンテンツサーバ１０の中間に位置しており、コンテンツサーバ１０から読み出したコンテンツ情報を交換可能コンテンツ情報に変換して整形処理を施す変換・整形サーバ３０にアクセスするように構成されているので、通信ネットワークシステムにおいて機能分散を計ることができ情報伝達効率を向上することができる効果がある。
【００７８】
また、変換・整形サーバ３０は、ユーザの処理実行要求の際にユーザの持つ通信端末機器で表示可能なように交換可能コンテンツ情報に整形処理を施すので、ポータルサーバ２０に負担をかけることなく、多種多様な通信端末機器におけるコンテンツ情報の表示形式に対応することが可能となる効果がある。
【００７９】
実施の形態５．
図５はこの発明の実施の形態５による通信ネットワークシステムの動作を示すフローチャート図である。この発明の実施の形態５による通信ネットワークシステムは、図１に示す上記実施の形態１による通信ネットワークシステムと同様な構成を有しており、以下では上記実施の形態１と重複する説明を省略する。
【００８０】
この発明の実施の形態５による通信ネットワークシステムの変換・整形サーバ３０は、通信端末機器を介してなされたユーザからの予約、注文、場所の確認等の所定の処理の実行要求に応じてポータルサーバ２０によってなされた処理実行指示に従い、コンテンツサーバ１０からコンテンツ情報を入手しコンテンツ情報に変換・整形処理を施し、事象情報に従い変換・整理処理を施したコンテンツ情報を直接ユーザの通信端末機器へＰｕｓｈ送信するものである。なお、この実施の形態５による変換・整形サーバ３０は上記実施の形態２によるものと同様に整形処理を実行することができる。
【００８１】
次に動作について説明する。
ユーザは、上記実施の形態３に示した方法に従って実行された情報検索等を通して情報を確認すると（ステップＳＴ５０１）、通信端末機器を介してポータルサーバ２０に予約、注文、場所の確認等の所定の処理の実行要求を行うことができる（ステップＳＴ５０２）。ポータルサーバ２０は、通信端末機器からの処理実行要求に基づき変換・整形サーバ３０に対して処理実行指示を送出する（ステップＳＴ５０３）。処理実行指示を受けた変換・整形サーバ３０は、対応するコンテンツ情報の送信要求をコンテンツサーバ１０へ送出し（ステップＳＴ５０４）、送信要求を受け取ったコンテンツサーバ１０は要求されたコンテンツ情報を変換・整形サーバ３０へ送信する（ステップＳＴ５０５）。変換・整形サーバ３０はこのようにして読み出したコンテンツ情報を通信ネットワーク１を介して交換可能な所定の書式のコンテンツ情報に変換し（ステップＳＴ５０６）、さらにそのコンテンツ情報に整形処理を施し（ステップＳＴ５０７）、整形したコンテンツ情報を処理実行結果として記憶装置３１へ格納する（ステップＳＴ５０８）。その後、変換・整形サーバ３０は、同様にして記憶装置３１に格納された事象情報により指定される日時に、処理実行結果を直接ユーザの通信端末機器へＰｕｓｈ送信する（ステップＳＴ５０９）。通信端末機器は受信した処理実行結果を表示装置に表示する等するとともに、記憶装置等に格納することができる（ステップＳＴ５１０）。この結果、ユーザは処理実行結果を確認することができる。
【００８２】
上記実施の形態２と同様に、整形済みのコンテンツ情報をユーザの通信端末機器へ送信する代わりに、変換・整形サーバ３０は、ユーザの通信端末機器の所定の表示形式に応じて送信するコンテンツ情報にアプリケーションデータを追加してもよい。この場合、通信端末機器はそのアプリケーションデータに従い受信したコンテンツ情報を整形して表示装置へ表示することができる。
【００８３】
例えば、ユーザが通信端末機器を介して住所「東京都千代田区丸の内２−２−３三菱電機ビル１階」で指定される地図データを会議予定などのスケジュールに応じて所定の日時に送信する旨の要求を行った場合、変換・整形サーバ３０は上記したような手順で指定された地図データを記憶装置３１に予め格納しておき設定された日時になると、ユーザの通信端末機器へ地図データを直接配信することができる。
【００８４】
以上のように、この発明の実施の形態５によれば、通信ネットワークシステムは、ユーザがインターネットに代表される通信ネットワーク１を介して予約、注文、場所の確認等の所定の処理を行う際に携帯電話４０等の通信端末機器を用いてコンテンツサーバ１０に直接アクセスせずにポータルサーバ２０にアクセスし、ポータルサーバ２０もユーザからの処理実行要求に応じてコンテンツサーバ１０にアクセスするのではなく、ポータルサーバ２０とコンテンツサーバ１０の中間に位置しており、コンテンツサーバ１０から読み出したコンテンツ情報を交換可能コンテンツ情報に変換して整形処理を施す変換・整形サーバ３０にアクセスし、さらに、変換・整形サーバ３０は事象情報に基づき整形済みのコンテンツ情報を直接ユーザの通信端末機器に配信するように構成されているので、通信ネットワークシステムにおいて機能分散を計ることができ情報伝達効率を向上することができるとともに、ポータルサーバ２０に負担をかけることなくコンテンツ情報を必要な時にユーザへ直接配信できる効果がある。
【００８５】
また、変換・整形サーバ３０は、ユーザの処理実行要求の際にユーザの持つ通信端末機器で表示可能なように交換可能コンテンツ情報に整形処理を施すので、ポータルサーバ２０に負担をかけることなく、多種多様な通信端末機器におけるコンテンツ情報の表示形式に対応することが可能となる効果がある。
【符号の説明】
【００８６】
１  通信ネットワーク、１０  コンテンツサーバ、１１，３１  記憶装置、２０  ポータルサーバ、３０  変換・整形サーバ、４０  携帯電話（通信端末機器）、５０  ナビゲーションシステム（通信端末機器）、５１  表示装置、６０  ＰＣ（通信端末機器）、６１  小型記憶装置。
【図１】
2010218047.tif 000003
【図２】
2010218047.tif 000004
【図３】
2010218047.tif 000005
【図４】
2010218047.tif 000006
【図５】
2010218047.tif 000007
【図６】
2010218047.tif 000008